(57)【特許請求の範囲】
【請求項１】
光ディスクを入れ、光ディスク装置の本体に摺動方式により出し入れが可能であり、光ディスクにデータを書き込むか、光ディスクからデータを読み出すための光ピックアップ及び前記光ピックアップを光ディスクのラジアル方向に直線運動させるための移送部を含むトレイと、
前記トレイの背面に装着されて、前記本体と前記トレイとのロックを解除するためのロックモジュールと、
を備え、
前記ロックモジュールは、
前記本体に備えられたロック突起と結合するためのフックを含んで回動できるように設置されるロッキング部と、
前記移送部に連動して回動するように設置される円形ギアと、
前記移送部により外周方向に移動する光ピックアップから直進力が伝達されて回動するように設置される第１の連結部と、
前記第１の連結部と前記円形ギアとから順次力が伝達されて回動して、前記フックと前記ロック突起との結合が解除されて前記ロッキング部に回動力を伝達するように設置される第２の連結部と、
を備えることを特徴とする光ディスク装置。
【請求項２】
前記ロックモジュールは、前記第２の連結部が前記第１の連結部から伝達された力により回動する方向とは反対方向に前記第２の連結部を回動するように弾性力を提供する第１のばねをさらに備える、請求項１に記載の光ディスク装置。
【請求項３】
前記ロックモジュールは、前記フックが前記ロック突起と結合する方向に回動するように弾性力を提供するばねをさらに備える、請求項１または２に記載の光ディスク装置。
【請求項４】
前記第１の連結部は、前記移送部により所定の外周区間に進入するガイドフィードから直進力が伝達されるための直進力受容部と、回動して前記第２の連結部に力を伝達するための第１の回動力伝達部とを備える、請求項１に記載の光ディスク装置。
【請求項５】
前記第２の連結部は、前記第１の連結部から回動力が伝達されるための第１の回動力受容部と、前記第１の連結部から回動力が伝達されて回動して前記円形ギアに噛み合う連結歯形と、前記連結歯形を介して前記円形ギアから伝達される回動力を前記ロッキング部に伝達するための第２の回動力伝達部とを備える、請求項１または４に記載の光ディスク装置。
【請求項６】
前記移送部は、リードスクリューと、リードスクリューを回転させるためのモータと、前記リードスクリューに噛み合って前記リードスクリューの回転力を前記光ピックアップを移動させる直進力に変換するためのガイドフィードとを備え、
前記ガイドフィードは、前記リードスクリューの回転によって前記光ピックアップが光ディスクにデータを書き込むか、データを読み出すデータ領域外の第２の動作範囲に進入して、前記第１の連結部に直進力を伝達する、請求項１に記載の光ディスク装置。
【請求項７】
前記リードスクリューは、前記第２の動作範囲に進入する前記ガイドフィードと噛み合うためのスクリューがないカット区間を含む、請求項６に記載の光ディスク装置。
【請求項８】
前記カット区間よりさらに外周に前記ガイドフィードと接触して前記ガイドフィードが外周方向にさらに進行することを防ぐためのストッパーをさらに備える、請求項７に記載の光ディスク装置。
【請求項９】
前記ロッキング部が前記第２の連結部によって回動して前記フックと前記ロック突起とのロックが解除された後、前記モータが前記ガイドフィードを内周方向に移動させるように前記リードスクリューを回転させて、前記リードスクリューに噛み合った前記円形ギアが回転し、前記円形ギアが前記第２の連結部を回転させて前記第２の連結部と前記円形ギアとの噛み合いが解除される、請求項７に記載の光ディスク装置。
【請求項１０】
前記ガイドフィードは、前記光ピックアップが前記データ領域内にあるとき、前記リードスクリューに噛み合う正常歯形及び前記正常歯形より内周に位置するダミー歯形を備え、
前記ガイドフィードが前記第２の動作範囲に置かれるとき、前記正常歯形は、前記カット区間に位置し、前記ダミー歯形は、前記リードスクリューに噛み合う、請求項７に記載の光ディスク装置。
【請求項１１】
前記ガイドフィードが前記第２の動作範囲に置かれた状態で前記リードスクリューが内周方向に回転するとき、前記リードスクリューに噛み合っているダミー歯形によって前記ガイドフィードが内周方向に移動しつつ、前記カット区間に位置していた正常歯形が前記リードスクリューに噛み合う、請求項１０に記載の光ディスク装置。
【請求項１２】
前記ロックモジュールは、前記第１の連結部が前記ガイドフィードにより直進力が伝達されて回動する反対方向に前記第１の連結部を回動するように弾性力を提供するばねをさらに備える、請求項７に記載の光ディスク装置。
【発明の詳細な説明】
【技術分野】
【０００１】
本発明は、光ディスク装置に関し、より具体的には、ソレノイド無しでステップモータの駆動力によりトレイを開けることができる光ディスク装置に関する。
【背景技術】
【０００２】
光ディスク装置は、ＣＤ、ＤＶＤ、ＢＤなどの規格の光ディスクにデータを書き込むか、光ディスクからデータを読み出して再生する装置である。
【０００３】
光ディスク装置は、本体にトレイが摺動可能に結合され、本体内部にターンテーブルとピックアップとが設置された形態と、本体にトレイが摺動可能に結合され、トレイにターンテーブルとピックアップとが設置された形態等がある。前者は、デスクトップコンピュータ用として利用され、後者は、ノートブックコンピュータ用として利用されている。
【０００４】
ノートブックコンピュータ用として利用される光ディスク装置は、トレイが本体内部に挿入された状態を維持するためのロック手段と、トレイを本体から引き出すことができるようにロックを解除するロック解除手段とを備える。ロック手段は、ばねと本体に形成された係止突起に結合されるフックの形態の係止部とで構成される。ロック解除手段は、ソレノイドを用いて係止部を回動させて係止突起との結合を解除する。
【０００５】
しかしながら、トレイを引き出す際、係止部を解除するためにソレノイドを使用する場合、コストの負担があり、又、ソレノイドの設置のための空間を設けなければならないという空間的な制約がある。
【発明の概要】
【発明が解決しようとする課題】
【０００６】
本発明の目的は、このような状況に鑑みて、ソレノイド無しでトレイのロックを解除する光ディスク装置を提供することにある。
【課題を解決するための手段】
【０００７】
上述した課題を実現するための本発明の一実施形態に係る光ディスク装置は、光ディスクを入れ、光ディスク装置の本体に摺動方式により出し入れが可能であり、光ディスクにデータを書き込むか、光ディスクからデータを読み出すための光ピックアップ及び前記光ピックアップを光ディスクのラジアル方向に直線運動させるための移送部を含むトレイと、前記トレイの背面に装着されて、前記本体と前記トレイとのロックを解除するためのロックモジュールとを備え、前記ロックモジュールは、前記本体に備えられたロック突起と結合するためのフックを含んで回動できるように設置されるロッキング部と、前記移送部に連動して回動するように設置される円形ギアと、前記移送部により外周方向に移動する光ピックアップから直進力が伝達されて回動するように設置される第１の連結部と、前記第１の連結部と前記円形ギアとから順次力が伝達されて回動して、前記フックが前記ロック突起との結合が解除されて前記ロッキング部に回動力を伝達するように設置される第２の連結部とを備えて構成されることを特徴とする。
【０００８】
一実施形態において、前記ロックモジュールは、前記第２の連結部が前記第１の連結部から伝達された力により回動する方向とは反対方向に前記第２の連結部を回動するように弾性力を提供する第１のばねをさらに備えてもよい。
【０００９】
一実施形態において、前記ロックモジュールは、前記フックが前記ロック突起と結合する方向に回動するように弾性力を提供するばねをさらに備えてもよい。
【００１０】
一実施形態において、前記第１の連結部は、前記移送部により所定の外周区間に進入するガイドフィードから直進力が伝達されるための直進力受容部と、回動して前記第２の連結部に力を伝達するための第１の回動力伝達部とを備えてもよい。
【００１１】
一実施形態において、前記第２の連結部は、前記第１の連結部から回動力が伝達されるための第１の回動力受容部と、前記第１の連結部から回動力が伝達されて回動して前記円形ギアに噛み合う連結歯形と、前記連結歯形を介して前記円形ギアから伝達される回動力を前記ロッキング部に伝達するための第２の回動力伝達部とを備えてもよい。
【００１２】
一実施形態において、前記移送部は、リードスクリューと、リードスクリューを回転させるためのモータと、前記リードスクリューに噛み合って前記リードスクリューの回転力を前記光ピックアップを移動させる直進力に変換するためのガイドフィードとを備え、前記ガイドフィードは、前記リードスクリューの回転によって前記光ピックアップが光ディスクにデータを書き込むか、データを読み出すデータ領域外の第２の動作範囲に進入して、前記第１の連結部に直進力を伝達してもよい。
【００１３】
一実施形態において、前記リードスクリューは、前記第２の動作範囲に進入する前記ガイドフィードと噛み合うためのスクリューがないカット区間を含んでもよい。
【００１４】
一実施形態において、前記カット区間よりさらに外周に前記ガイドフィードと接触して前記ガイドフィードが外周方向にさらに進行することを防ぐためのストッパーがさらに備えてもよい。
【００１５】
一実施形態において、前記ロッキング部が前記第２の連結部によって回動して前記フックと前記ロック突起とのロックが解除された後、前記モータが前記ガイドフィードを内周方向に移動させるように前記リードスクリューを回転させて、前記リードスクリューに噛み合った前記円形ギアが回転し、前記円形ギアが前記第２の連結部を回転させて前記第２の連結部と前記円形ギアとの噛み合いが解除されてもよい。
【００１６】
一実施形態において、前記ガイドフィードは、前記光ピックアップが前記データ領域内にあるとき、前記リードスクリューに噛み合う正常歯形及び前記正常歯形より内周に位置するダミー歯形を備え、前記ガイドフィードが前記第２の動作範囲に置かれるとき、前記正常歯形は、前記カット区間に位置し、前記ダミー歯形は、前記リードスクリューに噛み合ってもよい。
【００１７】
一実施形態において、前記ガイドフィードが前記第２の動作範囲に置かれた状態で前記リードスクリューが内周方向に回転するとき、前記リードスクリューに噛み合っているダミー歯形によって前記ガイドフィードが内周方向に移動しつつ、前記カット区間に位置していた正常歯形が前記リードスクリューに噛み合ってもよい。
【００１８】
一実施形態において、前記ロックモジュールは、前記第１の連結部が前記ガイドフィードにより直進力が伝達されて回動する反対方向に前記第１の連結部を回動するように弾性力を提供するばねをさらに備えてもよい。
【発明の効果】
【００１９】
以上より、光ディスク装置の製造コストを削減し、構成を単純化させることが可能となる。
【図面の簡単な説明】
【００２０】
【図１】ターンテーブルとピックアップとが設置されたトレイが本体内部に摺動する型のスリム型光ディスク装置を示した斜視図である。
【図２】図１の光ディスク装置の背面図である。
【図３】ロックモジュールを構成する第１の連結部を示した斜視図である。
【図４】ロックモジュールを構成する第２の連結部を示した斜視図である。
【図５】ロックモジュールを構成するロッキング部を示した斜視図である。
【図６】トレイがロックされた状態におけるロックモジュールを構成する要素等の状態を示した図である。
【図７】トレイのロックされた状態が解除されるときのロックモジュールを構成する要素等の状態を示した図である。
【図８】トレイのロックされた状態が解除されるときのロックモジュールを構成する要素等の状態を示した図である。
【図９】ロックモジュールが初期状態に戻る復帰動作を示した図である。
【発明を実施するための形態】
【００２１】
本発明の上述した目的、特徴、及び長所は、添付された図面に関連した以下の詳細な説明によってより明らかになるであろう。ただし、本発明は、様々な変更を加えた種々の実施形態を有することができる。以下では、図面に例示した特定の実施形態を詳細に説明する。原則的に、明細書の全体にわたって同一の参照符号は、同一の構成要素を表す。また、本発明に関連する公知の機能又は構成についての具体的な説明が本発明の要旨を不必要に不明瞭にする可能性があるものと判断される場合、その詳細な説明を省略する。また、本明細書の説明の過程で用いられる数字（例えば、第１、第２等）は、１つの構成要素を他の構成要素と区別するための識別記号に過ぎない。
【００２２】
以下、本発明に関連した光ディスク装置について図面を参照してより詳細に説明する。以下の説明において使用される構成要素に対する接尾辞「モジュール」及び「部」は、明細書作成の容易さのみを考慮して付与され又は混用されるものであって、それ自体で互いに区別される意味または役割を有するものではない。
【００２３】
図１は、ターンテーブルとピックアップとが設置されたトレイが本体内部に摺動する型のスリム型光ディスク装置を示した斜視図であり、図２は、図１の光ディスク装置の背面図である。
【００２４】
光ディスク装置１では、メインシャーシ１０とカバー３０とによって本体が構成される。光ディスクを保持するトレイ５０は、メインシャーシ１０に対して摺動するように設置されており、メインシャーシ１０とカバー３０との間に形成される空間の内部に挿入し、又、本体の外に引き出すことができる。
【００２５】
トレイ５０は、保持される光ディスクを回転させるためのスピンドルモータ１５１、光ディスクにレーザビームを照らして光ディスクにデータを書き込むか、光ディスクからデータを読み出すための光ピックアップ１５２、光ピックアップ１５２を光ディスクのラジアル方向に移送するためのリードスクリュー１５４、リードスクリュー１５４を回転させるためのステップモータ１５５、及び光ピックアップ１５２の移送を案内するためのガイドシャフト１５６を備えるピックアップ移送部１５３、並びにリードスクリュー１５４に噛み合ってリードスクリュー１５４の回転力を光ピックアップ１５２に伝達するガイドフィード１５７を備えてもよい。
【００２６】
トレイ５０の背面には、トレイ５０を光ディスク装置１の本体に挿入した状態でメインシャーシ１０にロックするか、トレイ５０を本体から引き出すためにロック状態を解除するロックモジュール７０が設置される。ロックモジュール７０は、第１の連結部１７１、第２の連結部１７２、円形ギア１７３、及びロッキング部１７４を備えてもよい。ロックモジュール７０は、リードスクリュー１５４の回転力を用いてトレイ５０のロック状態を解除することができる。
【００２７】
図３は、ロックモジュールを構成する第１の連結部１７１を示した斜視図である。
【００２８】
第１の連結部１７１は、リードスクリュー１５４の回転によりガイドフィード１５７が外周に移動するとき、ガイドフィード１５７から直進力が伝達されて回転運動する部分である。第１の連結部１７１は、トレイ５０の背面に形成された第１の回動軸１６１を中心として回動できるように孔が形成された第１の貫通孔１７１１、所定の外周区間に移動したガイドフィード１５７と接触してリードスクリュー１５４の回転により外周に直進移動するガイドフィード１５７から直進力を受ける直進力受容部１７１２、及び第１の回動軸１６１を中心とする直進力受容部１７１２の移動による回動力を第２の連結部１７２に伝達するための第１の回動力伝達部１７１３を備えてもよい。
【００２９】
ガイドフィード１５７が連結される光ピックアップ１５２は、リードスクリュー１５４を基準としてスピンドルモータ１５１と同じ側に配置され、第１の連結部１７１は、リードスクリュー１５４を基準としてスピンドルモータ１５１とは反対側に配置される。第１の連結部１７１の直進力伝達部１７１２は、リードスクリュー１５４と接触していない状態でリードスクリュー１５４を横切ってラジアル方向に移動するガイドフィード１５７と接触できる位置まで第１の回動軸１６１から延びている。
【００３０】
第２の連結部１７２、円形ギア１７３、及びロッキング部１７４は、リードスクリュー１５４を基準としてスピンドルモータ１５１とは反対側に配置される。
【００３１】
図４は、ロックモジュールを構成する第２の連結部１７２を示した斜視図である。
【００３２】
第２の連結部１７２は、第１の連結部１７１及び円形ギア１７３から順次力が伝達されて回転運動する部分であって、初期位置で第１の連結部１７１から回動力が伝達されて回転した後、さらに円形ギア１７３から回動力が伝達されてロッキング部１７４に力を伝達することができる。
【００３３】
第２の連結部１７２は、トレイ５０の背面に形成された第２の回動軸１６２を中心として回動できるように孔が形成された第２の貫通孔１７２１、第１の連結部１７１の第１の回動力伝達部１７１３から反時計方向に回転する力が伝達されるための第１の回動力受容部１７２２、円形ギア１７３と噛み合って円形ギア１７３の回動力が伝達されるための連結歯形１７２３、連結歯形１７２３を介して円形ギア１７３から伝達される反時計方向の回動力をロッキング部１７４に伝達するための第２の回動力伝達部１７２４、及び第１のばね１６８の一方の脚を支持するための第１のばねの第２の支持部１７２５を備えてもよい。
【００３４】
第１のばね１６８は、トーションばねの形態で構成することができる。第１のばね１６８は、本体がトレイ５０の背面に形成されたまま第１のばね１６８の回動軸１６５に挟まれる。第１のばね１６８の一方の脚は、トレイ５０の背面に形成された第１のばね１６８の第１の支持部１６６に支持される。第１のばね１６８の他方の脚は、第２の連結部１７２の第２の回動軸１６２を中心として所定距離離隔した位置に配置された第１のばねの第２の支持部１７２５に支持され、第１のばねの第２の支持部１７２５を押して、第２の連結部１７２を第２の回動軸１６２を中心として回転させるための回転力（時計方向）を提供することができる。
【００３５】
円形ギア１７３は、リードスクリューに連動して回転運動して、リードスクリューの回転力を第２の連結部１７２に伝達する部分である。円形ギア１７３は、トレイ５０の背面に形成された第２の回動軸１６２を中心として回動できるように中央に形成された第３の貫通孔１７３１を備えてもよい。円形ギア１７３は、外周に形成された歯形がリードスクリュー１５４と噛み合って、リードスクリュー１５４の回転により第２の回動軸１６２を中心として回転する。円形ギア１７３は、第２の連結部１７２の回転位置によっては、外周に形成された歯形が第２の連結部１７２の連結歯形１７２３と噛み合い、第２の連結部１７２に回転力を伝達することができる。
【００３６】
図５は、ロックモジュールを構成するロッキング部１７４を示した斜視図である。
【００３７】
ロッキング部１７４は、トレイ５０とメインシャーシ１０とのロック及びロック解除がなされる部分である。ロッキング部１７４は、トレイ５０の背面に設けられた第４の回動軸１６４を中心として回動できるように孔が形成された第４の貫通孔１７４１、第４の貫通孔１７４１から延びて、メインシャーシ１０の表面に突出したロック突起１１１と結合してトレイ５０をロックするためのフック１７４３、第２の連結部１７２と接触してロック突起１１１と結合されたフック１７４３のロック状態を解除するための回動力が伝達されるための第２の回動力受容部１７４２、及び第２のばね１６９の一方を固定するための第２のばねの第２の固定部１７４４を備えてもよい。
【００３８】
第２のばね１６９は、一方が第４の回動軸１６４を中心として所定距離離隔した位置に配置された第２のばねの第２の固定部１７４４に固定され、他方がトレイ５０の背面に位置する第２のばね１６９の第１の固定部１６７に固定されて、第４の回動軸１６４を中心として所定距離離隔した位置に配置されるフック１７４３をロック突起１１１と結合するための方向（図２において反時計方向）に回転させるための回転力を発生させることができる。
【００３９】
図６〜図９は、ロックモジュールの動作を説明するための動作図である。図６は、トレイがロックされた状態におけるロックモジュールを構成する要素等の状態を示した図であり、図７及び図８は、トレイのロックされた状態が解除されるときのロックモジュールを構成する要素等の状態を示した図であり、図９は、ロックモジュールが初期状態に戻る復帰動作を示した図である。
【００４０】
図６〜図９において、リードスクリュー１５４によりガイドフィード１５７が移動する範囲は、光ピックアップ１５２が直径１２ｃｍの光ディスクのデータ領域にデータを書き込むか、データを読み出すようにガイドフィード１５７が移動する第１の動作範囲と、光ピックアップ１５２を光ディスクのデータ領域外に移動させてガイドフィード１５７が直進力受容部１７１２に力を及ぼす第２の動作範囲とに区分することができる。
【００４１】
図６に示すように、トレイ５０が光ディスク装置１の本体内部に挿入された状態では、第２のばね１６９が発生させる弾性力によりロッキング部１７４が第４の回動軸１６４を中心として反時計方向に回転して、フック１７４３がロック突起１１１と結合した状態をなす。
【００４２】
トレイ５０には、イジェクトシャフト（図示せず）とばね（図示せず）とにより、メインシャーシ１０の後面から遠ざける力が作用するが、メインシャーシ１０の表面に突出したロック突起１１１とロッキング部１７４のフック１７４３とが結合して、トレイ５０が光ディスク装置１の本体内部に挿入された状態が維持される。
【００４３】
このとき、第２の連結部１７２は、第１のばね１６８が発生させる弾性力により第２の回動軸１６２を中心として時計方向に回転しており、第２の回動力伝達部１７２４は、ロッキング部１７４の第２の回動力受容部１７４２に力を加えておらず、連結歯形１７２３は、円形ギア１７３の外周歯形と噛み合っておらず、第１の回動力受容部１７２２は、第１の連結部１７１の第１の回動力伝達部１７１３に接触して第１の回動力伝達部１７１３から力が伝達される準備がなされている状態である。また、ガイドフィード１５７は、光ディスクのデータ領域にデータを書き込むか、データを読み出すように第１の動作範囲に位置し、第１の連結部１７１の直進力受容部１７１２は、ガイドフィード１５７に接触していない状態にある。
【００４４】
図７及び図８は、トレイロックを解除する命令が発せられた後のロックモジュールを構成する要素等の状態を示した図である。ステップモータ１５５の駆動によりリードスクリュー１５４が回転して、ガイドフィード１５７が第１の動作範囲から外れて第２の動作範囲に移動すると、直進力受容部１７１２は、ガイドフィード１５７に当接して力が伝達され、第１の連結部１７１は、第１の回動軸１６１を中心として時計方向に回転し、第１の回動力伝達部１７１３も移動する。また、第１の回動力伝達部１７１３に当接している第１の回動力受容部１７２２が第１の回動力伝達部１７１３から力を受けると、第２の連結部１７２は、第２の回動軸１６２を中心として反時計方向に回転する。これにより、第２の連結部１７２の連結歯形１７２３が円形ギア１７３の外周歯形と噛み合うことになる。
【００４５】
このとき、ガイドフィード１５７の歯形は、リードスクリュー１５４の端部に設けられたカット区間１５４１に進入するが、カット区間１５４１にはスクリューが形成されておらず、ガイドフィード１５７とリードスクリュー１５４とが噛み合わず、リードスクリュー１５４の回転がガイドフィード１５７に伝達されないので、ガイドフィード１５７はそれ以上外周方向には進行しない。さらに、カット区間１５４１よりさらに外周にガイドフィード１５７と接触するためのストッパー１５４２が設けられており、ガイドフィード１５７が外周方向にそれ以上進行することを防ぐことができる。
【００４６】
その後、トレイ５０のイジェクト動作のためにステップモータ１５５が駆動すると、リードスクリュー１５４が回転し、リードスクリュー１５４に連動する円形ギア１７３も第３の回動軸１６３を中心として時計方向に回転する。円形ギア１７３の外周歯形に連結歯形１７２３が噛み合った第２の連結部１７２も、円形ギア１７３の時計方向の回転によって、第２の回動軸１６２を中心として反時計方向に回転する。第２の連結部１７２が円形ギア１７３から力を受けて反時計方向に回転すると、第１の回動力受容部１７２２と第１の連結部１７１の第１の回動力伝達部１７１３とは互いに当接せずに、分離する。
【００４７】
円形ギア１７３の回転力により第２の連結部１７２の第２の回動力伝達部１７２４も反時計方向に回転して、ロッキング部１７４の第２の回動力受容部１７４２に力を伝達する。ロッキング部１７４は、第４の回動軸１６４を中心として時計方向に回転し、フック１７４３とロック突起１１１との結合が解除されて、トレイ５０のロック状態が解除される。
【００４８】
フック１７４３とロック突起１１１との結合が解除されると、トレイ５０をメインシャーシ１０の後面から遠ざける力が作用して、トレイ５０の一部が光ディスク装置１の本体から外側へ飛び出す。
【００４９】
ステップモータ１５５は、ロッキング部１７４のフック１７４３がロック突起１１１との結合が解除される位置まで回転するようにリードスクリュー１５４を回転させる。
【００５０】
図９は、ロックモジュールが初期状態に戻る復帰動作を示した図である。
【００５１】
ロッキング部１７４のフック１７４３とロック突起１１１との結合が解除されてトレイがイジェクトされると、光ディスク装置１０は、ステップモータ１５５を駆動してガイドフィード１５７を内周に移動させる方向にリードスクリュー１５４を回転させて、ロックモジュールを初期状態に復帰させることができる。
【００５２】
リードスクリュー１５４がガイドフィード１５７を内周に移動させる方向、すなわち、内周方向に回転すると、リードスクリュー１５４の歯形に噛み合った円形ギア１７３は、第３の回動軸１６３を中心として反時計方向に回転する。円形ギア１７３に連結ギアが噛み合った第２の連結部１７２は、第２の回動軸１６２を中心として時計方向に回転し、第２の回動力伝達部１７２４が時計方向に回転する。このとき、第２の連結部１７２の時計方向への回転により、連結歯形１７２３と円形ギア１７３の歯形との噛み合いが解除される。
【００５３】
ロッキング部１７４は、第２の回動力受容部１７４２が第２の回動力伝達部１７２４から力を受けないようになると、第２のばね１６９により第４の回動軸１６４を中心として反時計方向に回転し、元の位置に復帰して、次のトレイ５０を閉じる動作が行われ得るようにする。ロッキング部１７４の元の位置は、トレイ５０が光ディスク装置１の本体内部に引き入れられるときに、フック１７４３の傾斜した面がロック突起１１１と接触できる位置に該当する。
【００５４】
一方、第２の連結部１７２と分離された状態にある第１の連結部１７１は、第２の連結部１７２から力を受けることができないため、第２の動作範囲に位置するガイドフィード１５７に力を加えることができない。
【００５５】
リードスクリュー１５４が内周方向に回転するとき、カット区間１５４１に位置するガイドフィード１５７が内周方向に移動できるように、リードスクリュー１５４に噛み合う２個の正常歯形１５７１に加えて、内周に近い位置にダミー歯形１５７２を設けることができる。トレイ５０のイジェクト動作中、ガイドフィード１５７が第２の動作範囲に位置するとき、ガイドフィード１５７の正常歯形１５７１は、リードスクリュー１５４のカット区間１５４１に位置し、ダミー歯形１５７２は、リードスクリュー１５４に噛み合っている。
【００５６】
フック１７４３が元の位置に復帰するようにリードスクリュー１５４を内周方向に回転させると、リードスクリュー１５４に噛み合っていたダミー歯形１５７２によりガイドフィード１５７が内周方向に移動しつつ、カット区間１５４１に位置していた正常歯形１５７１が、第１の動作範囲に移動してリードスクリュー１５４に円滑に噛み合うようになる。
【００５７】
リードスクリュー１５４におけるカット区間１５４１とスクリューが形成されているスクリュー区間との境界には、カット区間１５４１を加工しながら鋭いエッジが形成され得る。また、カット区間１５４１に位置していた正常歯形１５７１は、第１の動作範囲に移動するとき、このようなエッジに掛かることもできる。しかし、ダミー歯形１５７２がリードスクリュー１５４に噛み合った状態では、リードスクリュー１５４の回転力を直進力に変換してガイドフィード１５７に伝達する。そのため、ガイドフィード１５７が内周方向に移動するとき、カット区間１５４１に位置していた正常歯形１５７１がリードスクリュー１５４のカット区間１５４１とスクリュー区間との境界に形成され得るエッジには掛からずに、リードスクリュー１５４に円滑に噛み合うようになる。
【００５８】
参考までに、ガイドフィード１５７は、光ピックアップ１５２のラジアル方向の中心、すなわち、光ピックアップ１５２からレーザビームが光ディスクに出射される対物レンズに対応する位置に配置されることが有利である。正常歯形１５７１は、ガイドフィード１５７の中央に配置され、ダミー歯形１５７２は、正常歯形１５７１より内周に配置することができる。
【００５９】
ガイドフィード１５７にダミー歯形１５７２を設ける代わりに、第１の連結部１７１を第１の回動軸１６１を中心として反時計方向に回動させるためのばねを設けることができる。ロックモジュール７０がロック解除動作を行う間、第１の連結部１７１が第２の連結部１７２を反時計方向に回転させて、連結歯形１７２３が円形ギア１７３に噛み合うようになった後、ばねが第１の連結部１７１を反時計方向に回転させ、第１の連結部１７１の直進力受容部１７１２がガイドフィード１５７に力を伝達して、ガイドフィード１５７を内周に移動させることもできる。
【００６０】
また、第２の連結部１７２を時計方向に回転させる力を伝達する第１のばね１６８の弾性力が作用する角度を拡大させることにより、内周方向に回転するリードスクリュー１５４により反時計方向に回転する円形ギア１７３に噛み合って第２の連結部１７２が時計方向に回転し、円形ギア１７３から連結歯形１７２３が解除され、さらに、第１の回動力受容部１７２２が第１の連結部１７１の第１の回動力伝達部１７１３と当接するようになった後も、第１のばね１６８が第２の連結部１７２に弾性力を与えて第１の回動力受容部１７２２が第１の回動力伝達部１７１３に力を伝達し、これにより、第１の連結部１７１が第２の動作範囲に位置するガイドフィードを内周方向に移動させてもよい。
【００６１】
以上より、ソレノイド無しでも、光ピックアップを内外周に移動させるステップモータとリードスクリューとによってトレイのロック状態を解除できるようになる。
【００６２】
本発明は、記載された実施形態等に限定されるものではなく、本発明の思想及び範囲を逸脱せずに、様々に修正及び変形できることは、この技術分野における通常の知識を有する者に自明である。したがって、そのような修正例または変形例は、本発明の特許請求の範囲に属するといえる。
【符号の説明】
【００６３】
１    光ディスク装置
１０    メインシャーシ
３０    カバー
５０    トレイ
７０    ロックモジュール
１１１    ロック突起
１５１    スピンドルモータ
１５２    光ピックアップ
１５３    ピックアップ移送部
１５４    リードスクリュー
１５５    ステップモータ
１５６    ガイドシャフト
１５７    ガイドフィード
１６１    第１の回動軸
１６２    第２の回動軸
１６３    第３の回動軸
１６４    第４の回動軸
１６５    第１のばね１６８の回動軸
１６６    第１の支持部
１６７    第１の固定部
１６８    第１のばね
１６９    第２のばね
１７１    第１の連結部
１７２    第２の連結部
１７３    円形ギア
１７４    ロッキング部
【図１】
0006506126.tif 000002
【図２】
0006506126.tif 000003
【図３】
0006506126.tif 000004
【図４】
0006506126.tif 000005
【図５】
0006506126.tif 000006
【図６】
0006506126.tif 000007
【図７】
0006506126.tif 000008
【図８】
0006506126.tif 000009
【図９】
0006506126.tif 000010